(57)【要約】【課題】排出手段にセンサ等の如き別個の部品を取り付けることなく当該排出手段における遊技球の詰まりを検出することができる遊技球の排出装置を提供する。【解決手段】パチンコ遊技機が設置される部位に形成されるとともに、当該パチンコ遊技機の遊技盤に打ち出された遊技球を設置島側に排出する排出手段１２と、設置島側に排出する遊技球をカウントするカウント手段１３とを具備した遊技球の排出装置において、パチンコ遊技機における遊技盤に打ち出された遊技球が入賞したときに発生する入賞信号、又は当該遊技球の入賞により賞球としての遊技球を払い出しさせるときに発生する払出信号の少なくとも何れか一方があり、且つ、カウント手段１３によるカウント値が上がらない状態を検知する検知手段１６を具備し、当該検知手段１６による検知にて排出手段１２の遊技球の詰まりを検出可能とされたものである。【選択図】図５
2013132379.tif 000002
【特許請求の範囲】
【請求項１】
設置島におけるパチンコ遊技機が設置される部位に形成されるとともに、当該パチンコ遊技機の遊技盤に打ち出された遊技球を設置島側に排出する排出手段と、
該排出手段に形成され、設置島側に排出する遊技球をカウントするカウント手段と、
を具備した遊技球の排出装置において、
前記パチンコ遊技機における遊技盤に打ち出された遊技球が入賞したときに発生する入賞信号、又は当該遊技球の入賞により賞球としての遊技球を払い出しさせるときに発生する払出信号の少なくとも何れか一方があり、且つ、前記カウント手段によるカウント値が上がらない状態を検知する検知手段を具備し、当該検知手段による検知にて前記排出手段の遊技球の詰まりを検出可能とされたことを特徴とする遊技球の排出装置。
【請求項２】
前記検知手段にて前記排出手段の遊技球の詰まりを検出したとき、その検出信号を表示手段に送信して遊技球が当該排出手段にて詰まったことを表示させることを特徴とする請求項１記載の遊技球の排出装置。
【請求項３】
前記検知手段にて前記排出手段の遊技球の詰まりを検出したとき、その検出信号を監視手段に送信して遊技球が当該排出手段にて詰まったことを把握させることを特徴とする請求項１又は請求項２記載の遊技球の排出装置。
【発明の詳細な説明】
【技術分野】
【０００１】
本発明は、設置島におけるパチンコ遊技機が設置される部位に夫々形成されるとともに、当該パチンコ遊技機の遊技盤に打ち出された遊技球を設置島側に排出する排出手段と、該排出手段に形成され、設置島側に排出する遊技球をカウントするカウント手段とを具備した遊技球の排出装置に関するものである。
【背景技術】
【０００２】
パチンコ遊技機の設置島は、パチンコ店内ホールに設置され、複数のパチンコ遊技機が横並びに配設されるとともに、それらパチンコ遊技機に対して電力の供給や遊技球の供給及び回収等を行い得るよう構成されている。かかるパチンコ遊技機の設置島においては、従来より、遊技球を所定箇所に回収するアウトレールと、各パチンコ遊技機毎に対応して配設され、当該パチンコ遊技機から排出された遊技球を受け得るアウトボックス（排出手段）とが配設されている。
【０００３】
さらに、アウトボックスには、通常、パチンコ遊技機から排出された遊技球の数を計測するカウント手段が配設されているとともに、当該アウトボックスからアウトレールに向かって排出路が延設されている。しかして、パチンコ遊技機における遊技盤に打ち出された遊技球は、当該遊技盤に形成された入賞口（普通入賞口、始動入賞口或いは大入賞口等）又はアウト穴を介してアウトボックス（排出手段）に至り、カウント手段にて計数された後、排出路を介してアウトレールに排出されるようになっている（例えば特許文献１参照）。
【先行技術文献】
【特許文献】
【０００４】
【特許文献１】特開２０１１−６７５１５号公報
【発明の概要】
【発明が解決しようとする課題】
【０００５】
しかしながら、上記従来技術においては、排出手段で遊技球が詰まったことを検出するセンサ等を具備していないため、当該排出手段で遊技球が詰まってしまった場合、カウント手段を経ることなく溢れてしまう虞があった。かかる不具合を回避すべく排出手段に遊技球の詰まりを検出可能な検出センサを具備させることも考えられるが、その場合、検出センサの如き部品を取り付ける必要があり、コストが嵩んでしまうという問題があった。
【０００６】
本発明は、このような事情に鑑みてなされたもので、排出手段にセンサ等の如き別個の部品を取り付けることなく当該排出手段における遊技球の詰まりを検出することができる遊技球の排出装置を提供することにある。
【課題を解決するための手段】
【０００７】
請求項１記載の発明は、設置島におけるパチンコ遊技機が設置される部位に形成されるとともに、当該パチンコ遊技機の遊技盤に打ち出された遊技球を設置島側に排出する排出手段と、該排出手段に形成され、設置島側に排出する遊技球をカウントするカウント手段とを具備した遊技球の排出装置において、前記パチンコ遊技機における遊技盤に打ち出された遊技球が入賞したときに発生する入賞信号、又は当該遊技球の入賞により賞球としての遊技球を払い出しさせるときに発生する払出信号の少なくとも何れか一方があり、且つ、前記カウント手段によるカウント値が上がらない状態を検知する検知手段を具備し、当該検知手段による検知にて前記排出手段の遊技球の詰まりを検出可能とされたことを特徴とする。
【０００８】
請求項２記載の発明は、請求項１記載の遊技球の排出装置において、前記検知手段にて前記排出手段の遊技球の詰まりを検出したとき、その検出信号を表示手段に送信して遊技球が当該排出手段にて詰まったことを表示させることを特徴とする。
【０００９】
請求項３記載の発明は、請求項１又は請求項２記載の遊技球の排出装置において、前記検知手段にて前記排出手段の遊技球の詰まりを検出したとき、その検出信号を監視手段に送信して遊技球が当該排出手段にて詰まったことを把握させることを特徴とする。
【発明の効果】
【００１０】
請求項１の発明によれば、パチンコ遊技機における遊技盤に打ち出された遊技球が入賞したときに発生する入賞信号、又は当該遊技球の入賞により賞球としての遊技球を払い出しさせるときに発生する払出信号の少なくとも何れか一方があり、且つ、カウント手段によるカウント値が上がらない状態を検知する検知手段を具備し、当該検知手段による検知にて排出手段の遊技球の詰まりを検出可能とされたので、排出手段にセンサ等の如き別個の部品を取り付けることなく当該排出手段における遊技球の詰まりを検出することができる。
【００１１】
請求項２の発明によれば、検知手段にて排出手段の遊技球の詰まりを検出したとき、その検出信号を表示手段に送信して遊技球が当該排出手段にて詰まったことを表示させるので、ホール係等の作業者に対して排出手段の詰まりを正確且つ早急に把握させることができる。
【００１２】
請求項３の発明によれば、検知手段にて排出手段の遊技球の詰まりを検出したとき、その検出信号を監視手段に送信して遊技球が当該排出手段にて詰まったことを把握させるので、排出手段における遊技球の詰まりを監視手段による監視対象とすることができる。
【図面の簡単な説明】
【００１３】
【図１】本発明の実施形態に係る遊技球の排出装置が適用されるパチンコ遊技機の設置島を示す全体模式図
【図２】同設置島の内部構成を示す正面模式図
【図３】同遊技球の排出装置における遊技球の排出状態を示す平面図及び正面図
【図４】同遊技球の排出装置における排出手段を示す３面図
【図５】同遊技球の排出装置におけるカウント手段を示す３面図
【図６】同遊技球の排出装置における全体構成を示すブロック図
【図７】同遊技球の排出装置における制御を示すフローチャート
【発明を実施するための形態】
【００１４】
以下、本発明の実施形態について図面を参照しながら具体的に説明する。
本実施形態に係る遊技球の排出装置が適用されるパチンコ遊技機の設置島は、図１に示すように、遊技店に設置されるとともにパチンコ遊技機２が複数並列して設置された島状のものから成る。かかる設置島１は、それぞれのパチンコ遊技機２に電力を供給し得るとともに、各パチンコ遊技機２に遊技球を供給し或いは回収する流路（レール等）を具備したものである。
【００１５】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に打ち出され、当該遊技盤に形成された所定の入賞口（普通入賞口、始動入賞口或いは大入賞口等）に入賞或いは最下のアウト穴に至るよう構成されている。
【００１６】
設置島１は、パチンコ遊技機２に電力を供給し得る電力供給手段（不図示）を具備するとともに、図２、３で示すように、各パチンコ遊技機２に供給する遊技球が自重により流下する流路（４、５、６、８）や駆動力にて略垂直に上昇させる流路（１１）を具備したものである。すなわち、設置島１の上部には、島上タンク３が配設されており、かかる島上タンク３から遊技球が各パチンコ遊技機２に供給されるよう構成されているのである。
【００１７】
具体的には、島上タンク３から下方に傾斜しつつ延設された供給流路４（補給樋）が左右に延びており、その途中が各パチンコ遊技機２と接続されることにより、当該供給流路４から各パチンコ遊技機２に遊技球が流下して供給されることとなる。そして、パチンコ遊技機２における入賞口或いはアウト穴から導かれた遊技球は、後述する排出手段１２（アウトボックス）に至り、カウント手段１３（図４、５参照）にてカウント（計数）された後、排出路１４を介してアウトレール８に送られ、そこから自重にて転がって研磨装置９に送られることとなる。しかして、アウトレール８は、所定角度傾斜して配設されることにより、遊技球を所定箇所（本実施形態においては研磨装置９）に回収することができるのである。
【００１８】
研磨装置９は、遊技球を研磨するためのもので、ここで研磨された遊技球が順次リフタ１０に送られることとなる。このリフタ１０は、垂直流路１１を介して遊技球を島上タンク３に供給するための揚送手段から成るもので、かかる島上タンク３に供給された遊技球は再び供給流路４を介して各パチンコ遊技機２に供給されることとなる。しかして、遊技球は、設置島１内において循環することとなり、必要量がパチンコ遊技機２に供給されることとなる。
【００１９】
一方、島上タンク３からは、パチンコ遊技機２を介さず遊技球を流下させるオーバーフロー樋５が延設されており、このオーバーフロー樋５の先端には、プールタンク７まで延びる落下流路６が接続されている。かかるオーバーフロー樋５は、供給流路４が遊技球で満杯となったときに島上タンク３の遊技球をプールタンク７まで直接流すためのものである。しかして、遊技球は、オーバーフロー樋５から落下流路６を介して自重により落下してプールタンク７に至り、そこからアウトレール８を介して研磨装置９及びリフタ１０に順次送られ、垂直流路１１を介して島上タンク３に導入されることとなる。
【００２０】
排出手段１２は、設置島１におけるパチンコ遊技機２が設置される部位に夫々形成されるとともに、当該パチンコ遊技機２の遊技盤に打ち出された遊技球を設置島１側に排出するためのものである。より具体的には、排出手段１２は、図４に示すように、パチンコ遊技機２から排出される遊技球を受ける収容部１２ａと、該収容部１２ａで受けた遊技球を排出部１２ｂ側に導く孔部１２ａａと、該収容部１２ａで受けられて孔部１２ａａで導かれた遊技球を順次排出させる排出部１２ｂとを有して構成されており、収容部１２ａには、順次設置島１側に排出される遊技球をカウント（計数）するカウント手段１３が設置されている。
【００２１】
カウント手段１３は、図５に示すように、遊技球を流下させ得る傾斜面１３ａと、排出手段１２の壁部に係止可能な係止部１３ｂとを具備した箱状の部材から成り、傾斜面１３ａの傾斜端部には、遊技球を通過させつつその遊技球を検知してカウント（計数）し得る左右一対のセンサｓが配設されている。なお、本実施形態におけるカウント手段１３には、ビスｂが取り付けられており、当該ビスｂのネジ込み寸法により傾斜面１３ａの傾斜角度を調整し得るようになっている。
【００２２】
排出部１２ｂは、排出路１４の基端と接続される排出口１２ｂａを有しており、当該排出口１２ｂａから排出された遊技球が排出路１４に沿って流下し、アウトレール８側に排出されるようになっている。しかるに、設置島１の所定部位には支持手段Ｆが固定されており、当該支持手段Ｆに形成された係止部Ｆａに排出手段１２が係止されることにより支持されている。そして、係止部Ｆａに対する排出手段１２の係止位置（係止高さ）を変更することにより、パチンコ遊技機２の背面側に形成された遊技球の排出口１２ｂａの位置に合わせて排出手段１２の設置高さを任意変更することが可能となっている。
【００２３】
排出路１４は、図３で示すように、排出手段１２（排出部１２ｂの排出口１２ｂａ）からアウトレール８に向かって上下方向に延設された螺旋状の通路（線状金属材を螺旋状に成形したもの）から成り、当該排出手段１２の収容部１２ａで受けた遊技球を螺旋を描く如き軌跡にて順次流下させ、アウトレール８に排出させるものである。すなわち、排出路１４は、各排出手段１２からそれぞれ下方に垂下され、その下端（先端）がアウトレール８の上面から所定寸法上方の位置とされている。
【００２４】
ここで、本実施形態に係るカウント手段１３（具体的には一対のセンサｓ）は、図６に示すように、検知手段１６と電気的に接続されており、当該カウント手段１３によるカウント値が検知手段１６に送信されるようになっている。また、検知手段１６は、信号発信手段１５と電気的に接続されている。かかる信号発信手段１５は、パチンコ遊技機２における遊技盤に打ち出された遊技球が入賞したときに発生する入賞信号、又は当該遊技球の入賞により賞球としての遊技球を払い出しさせるときに発生する払出信号の少なくとも何れか一方を発信し得るもので、各パチンコ遊技機２に設置されている。なお、本実施形態に係る検知手段１６は、パチンコ遊技機２において既存のマイコン等に付加されるプログラム等で構成されている。
【００２５】
本実施形態に係る信号発信手段１５は、遊技盤に形成された普通入賞口、始動入賞口或いは大入賞口等の入賞口やアウト穴に遊技球が入り、その遊技球が所定部位を通過すると信号を発するセンサや、入賞口に遊技球が入賞して賞球としての遊技球を払い出しさせる信号を発する制御手段等から成るものであり、従来より各パチンコ遊技機２に設置されたものである。
【００２６】
一方、検知手段１６は、信号発信手段１５及びカウント手段１３と電気的に接続され、これら信号検知手段１５及びカウント手段１３から所定の信号を受信し得るよう構成されている。この受信した信号により、検知手段１６は、パチンコ遊技機２における遊技盤に打ち出された遊技球が入賞したときに発生する入賞信号、又は当該遊技球の入賞により賞球としての遊技球を払い出しさせるときに発生する払出信号の少なくとも何れか一方があり、且つ、カウント手段１３によるカウント値が上がらない状態を検知することができるようになっている。
【００２７】
しかるに、パチンコ遊技機２における遊技盤に打ち出された遊技球が入賞したときに発生する入賞信号、又は当該遊技球の入賞により賞球としての遊技球を払い出しさせるときに発生する払出信号の少なくとも何れか一方がある場合、遊技盤に遊技球が打ち出されていることが把握されるので、通常であれば、カウント手段１３によるカウント値は上がる筈であるが、排出手段１２（例えば、収容部１２ａや排出部１２ｂにおけるカウント手段１３でカウントされる部位より上流側））において遊技球の詰まりがあると、入賞信号又は払出信号の何れか一方があってもカウント手段１３によるカウント値は上がらない。
【００２８】
このように、入賞信号又は払出信号の何れか一方があってもカウント手段１３によるカウント値が上がらない状態を検知手段１６にて検知すれば、別個のセンサ等を設けることなく、排出手段１２における遊技球の詰まり（球詰まり）を検知することができるのである。すなわち、通常のパチンコ遊技機２が信号発信手段１５を具備していることから、その信号発信手段１５からの信号を利用すれば、新たに別個のセンサ等を設けることなく、検知手段１６にて排出手段１２の遊技球の詰まりを検知できるのである。
【００２９】
また、検知手段１６は、例えば各パチンコ遊技機２の上部にそれぞれ配設された表示手段１７と電気的に接続されている。そして、検知手段１６にて排出手段１２の遊技球の詰まりを検出したとき、その検出信号を表示手段１７に送信して遊技球が当該排出手段１２にて詰まったことを表示させるよう構成されている。これにより、ホール係等の作業者に対して排出手段１２の詰まりを正確且つ早急に把握させることができる。
【００３０】
さらに、検知手段１６は、例えばパチンコ遊技機２が設置されたホール全体を監視する監視手段１８と電気的に接続されている。そして、検知手段１６にて排出手段１２の遊技球の詰まりを検出したとき、その検出信号を監視手段１８に送信して遊技球が当該排出手段１２にて詰まったことを把握させるよう構成されている。これにより、排出手段１２における遊技球の詰まりを監視手段１８による監視対象とすることができる。
【００３１】
次に、本実施形態に係る遊技球の排出装置における制御について、図７のフローチャートに基づいて説明する。
先ず、検知手段１６により、パチンコ遊技機２における遊技盤に打ち出された遊技球が入賞したときに発生する入賞信号、又は当該遊技球の入賞により賞球としての遊技球を払い出しさせるときに発生する払出信号の少なくとも何れか一方があるか否かが判断され（Ｓ１）、当該入賞信号又は払出信号の何れか一方がある場合は、Ｓ２に進む。
【００３２】
Ｓ２においては、検知手段１６により、カウント手段１３によるカウント値（センサｓにて検知される遊技球の数）が上がっているか否かが判断され、当該カウント値が上がっている場合は、Ｓ１に戻るとともに、当該カウント値が上がっていない（遊技球のカウントがない）場合は、Ｓ３に進み、表示手段１７及び監視手段１８に対して遊技球の詰まりを報知する信号を送信する。これにより、排出手段１２における遊技球の詰まりを表示手段１７にて表示させるとともに、監視手段１８にて把握させることができる。
【００３３】
上記実施形態によれば、パチンコ遊技機２における遊技盤に打ち出された遊技球が入賞したときに発生する入賞信号、又は当該遊技球の入賞により賞球としての遊技球を払い出しさせるときに発生する払出信号の少なくとも何れか一方があり、且つ、カウント手段１３によるカウント値が上がらない状態を検知する検知手段１６を具備し、当該検知手段１６による検知にて排出手段１２の遊技球の詰まりを検出可能とされたので、排出手段１２にセンサ等の如き別個の部品（ハード）を取り付けることなくプログラム等のソフトで対応させることができ、当該排出手段１２における遊技球の詰まりを検出することができる。
【００３４】
以上、本実施形態について説明したが、本発明はこれに限定されるものではなく、例えば検知手段１６で検知された排出手段１２における遊技球の詰まりを表示手段１７のみに送信するもの、或いは監視手段１８のみに送信するものとしてもよい。また、検知手段１６で検知された排出手段１２における遊技球の詰まりを表示手段１７及び監視手段１８の何れにも送信せず、他の構成要素に送信するようにしてもよい。さらに、遊技球をアウトレール８に排出させる排出手段は、パチンコ遊技機の遊技盤に打ち出された遊技球を設置島側に排出するとともに、設置島側に排出する遊技球をカウントするカウント手段を具備したものであれば、他の形態のものであってもよい。
【産業上の利用可能性】
【００３５】
パチンコ遊技機における遊技盤に打ち出された遊技球が入賞したときに発生する入賞信号、又は当該遊技球の入賞により賞球としての遊技球を払い出しさせるときに発生する払出信号の少なくとも何れか一方があり、且つ、カウント手段によるカウント値が上がらない状態を検知する検知手段を具備し、当該検知手段による検知にて排出手段の遊技球の詰まりを検出可能とされた遊技球の排出装置であれば、外観形状が異なるもの或いは他の機能が付加されたもの等にも適用することができる。
【符号の説明】
【００３６】
１    設置島
２    パチンコ遊技機
３    島上タンク
４    供給流路
５    オーバーフロー樋（流路）
６    落下流路
７    プールタンク
８    アウトレール
９    研磨装置
１０  リフタ
１１  垂直流路
１２  排出手段
１３  カウント手段
１４  排出路
１５  信号発信手段
１６  検知手段
１７  表示手段
１８  監視手段
【図１】
2013132379.tif 000003
【図２】
2013132379.tif 000004
【図３】
2013132379.tif 000005
【図４】
2013132379.tif 000006
【図５】
2013132379.tif 000007
【図６】
2013132379.tif 000008
【図７】
2013132379.tif 000009